(57)【要約】【課題】中間周波数の近傍の信号が存在する場合でも、中心周波数から数十ＭＨｚ離れた信号が存在する場合でも、それらの信号の信号レベルを考慮した利得制御が可能となり、受信チャンネル以外のその他チャンネルによる受信性能の劣化を防ぐ、高性能な受信機を提供する。【解決手段】ミキサ回路６の出力より前記中間周波数信号に応じた第２の利得制御信号を生成するＡＧＣ検波回路１６と、ＩＦ増幅回路９の出力よりバンドパスフィルタ８の出力信号に応じた第３の利得制御信号を生成するＡＧＣ検波回路１７と、前記第２の利得制御信号と前記第３の利得制御信号とに基づいて第１の利得制御信号を生成する平均化回路２０とを備える。【選択図】図１
2009272689.tif 000002
【特許請求の範囲】
【請求項１】
多チャンネルのＲＦ信号を入力するＲＦ信号入力端子と、
前記ＲＦ信号入力端子の後段に配置された、第１の利得制御信号によって利得を固定あるいは制御するＲＦ利得制御手段と、
受信周波数に応じて局部発振信号を生成する局部発振手段と、
前記ＲＦ信号と前記局部発振信号とを混合することにより、中間周波数に周波数変換した中間周波数信号を生成する周波数変換手段と、
前記周波数変換手段の後段に配置され、前記中間周波数信号をより広帯域に選択して通過させる第１の中間周波数帯域通過フィルタと、
前記第１の中間周波数帯域通過フィルタの後段に配置され、前記中間周波数信号をより狭帯域に選択して通過させる第２の中間周波数帯域通過フィルタとを備える受信機であって、
前記中間周波数信号に応じた第２の利得制御信号を生成する第１の自動利得制御検波手段と、
前記第１の中間周波数帯域通過フィルタの出力信号に応じた第３の利得制御信号を生成する第２の自動利得制御検波手段と、
前記第２の利得制御信号と前記第３の利得制御信号とに基づいて前記第１の利得制御信号を生成する利得制御信号生成手段とを備えることを特徴とする受信機。
【請求項２】
前記第１の自動利得制御検波手段の前段に、中間周波数帯域除去フィルタとを備えることを特徴とする請求項１に記載の受信機。
【請求項３】
前記利得制御信号生成手段は、前記第２の利得制御信号と前記第３の利得制御信号との内の１つを選択し、前記第１の利得制御信号として出力することを特徴とする請求項１または２に記載の受信機。
【請求項４】
前記利得制御信号生成手段は、前記第２の利得制御信号と前記第３の利得制御信号とを合成し、前記第１の利得制御信号として出力することを特徴とする請求項１または２に記載の受信機。
【請求項５】
前記合成は平均化であり、
前記利得制御信号生成手段は、前記第２の利得制御信号と前記第３の利得制御信号とを平均化し、前記第１の利得制御信号として出力することを特徴とする請求項４に記載の受信機。
【請求項６】
前記第２の中間周波数帯域通過フィルタの後段に、信号対雑音比を検出する信号対雑音比検出手段を備えることを特徴とする請求項３に記載の受信機。
【請求項７】
前記信号対雑音比検出手段は、前記利得制御信号生成手段が前記第２の利得制御信号を前記第１の利得制御信号として出力する場合の第１の信号対雑音比と、前記利得制御信号生成手段が前記第３の利得制御信号を前記第１の利得制御信号として出力する場合の第２の信号対雑音比とを検出し、
前記第１の信号対雑音比が前記第２の信号対雑音比より大きい場合は、前記利得制御信号生成手段が前記第２の利得制御信号を前記第１の利得制御信号として出力し、
前記第２の信号対雑音比が前記第１の信号対雑音比より大きい場合は、前記利得制御信号生成手段が前記第３の利得制御信号を前記第１の利得制御信号として出力することを特徴とする請求項６に記載の受信機。
【請求項８】
記憶手段及び切り替え判定手段をさらに備え、
前記切り替え判定手段は、前記第１の信号対雑音比と前記第２の信号対雑音比との大小の判定を、受信機のチャンネル設定時に実施し、
前記記憶手段が判定結果を記憶し、
該当チャンネル受信時には前記記憶手段に記憶された前記判定結果に基づいて、前記利得制御信号生成手段が前記第１の利得制御信号を出力することを特徴とする請求項７に記載の受信機。
【請求項９】
前記切り替え判定手段は、前記大小の判定を、受信機のチャンネル設定時、または予め設定した視聴時以外の時間に実施することを特徴とする請求項８に記載の受信機。
【発明の詳細な説明】
【技術分野】
【０００１】
本発明は多チャンネルの信号から１つのチャンネルを選択して受信する受信機に関するものであり、特にチャンネル数が多く、かつ、その信号レベルが一様でない地上波テレビジョン受信機に関するものである。
【背景技術】
【０００２】
従来の受信機として地上波ディジタル放送受信機１０１のブロック図を図１２に示す。地上波ディジタル放送受信機１０１において、ディジタル変調された複数のＲＦ信号は、受信機入力端１０２より入力され、バンドパスフィルタ１０３、ＲＦ ＡＧＣ増幅回路１０４及びバンドパスフィルタ１０５を介してミキサ回路１０６に入力される。
【０００３】
ミキサ回路１０６に入力された信号は、受信周波数に応じた、局部発振回路１０７から出力される局部発振信号とミキシングされ、ＩＦ信号に周波数変換される。周波数変換されたＩＦ信号は、バンドパスフィルタ１０８、ＩＦ増幅回路１０９、ＳＡＷフィルタで構成されるバンドパスフィルタ１１０及びＩＦ ＡＧＣ増幅回路１１１を介してＡ／Ｄコンバータ１１２に入力され、ディジタル信号に変換された後、復調回路１１３にてディジタル復調が施されて元のディジタルデータに復調される。
【０００４】
ここでＡ／Ｄコンバータ１１２の入力信号レベルは、受信機の入力レベルが変化しても常に一定レベルである必要があり、ディジタル復調部にレベル検波回路１１４及びＡＧＣ制御信号発生回路１１５を設けている。ＡＧＣ制御信号発生回路１１５は、レベル検波回路１１４から入力される情報に基づき、Ａ／Ｄコンバータ１１２の入力信号レベルが一定になるように、ＲＦ ＡＧＣ増幅回路１０４及びＩＦ ＡＧＣ増幅回路１１１の利得を制御する。
【０００５】
また、従来の受信機の第２の例として、ディジタル放送受信機１１６のブロック図を図１３に示す。ディジタル放送受信機１１６においても、地上波ディジタル放送受信機１０１と同様、ディジタル変調された複数のＲＦ信号が、受信機入力端１０２より入力されると、バンドパスフィルタ１０３、ＲＦ ＡＧＣ増幅回路１０４、バンドパスフィルタ１０５、ミキサ回路１０６、局部発振回路１０７、バンドパスフィルタ１０８、ＩＦ増幅回路１０９、バンドパスフィルタ１１０、ＩＦ ＡＧＣ増幅回路１１１、Ａ／Ｄコンバータ１１２及び復調回路１１３による処理が施されて元のディジタルデータに復調される。
【０００６】
また、ディジタル放送受信機１１６においても、ディジタル復調部にレベル検波回路１１４及びＡＧＣ制御信号発生回路１１５を設けている。ＡＧＣ制御信号発生回路１１５は、レベル検波回路１１４から入力される情報に基づき、Ａ／Ｄコンバータ１１２の入力信号レベルが一定になるように、ＩＦ ＡＧＣ増幅回路１１１の利得を制御する。
【０００７】
またＩＦ増幅回路１０９の出力信号は、バンドパスフィルタ１１０に入力されると共にＡＧＣ検波回路１１７に入力される。ＡＧＣ検波回路１１７では、入力される信号のレベルの大きさに応じた出力電圧を発生し、ＤＣ増幅回路１１８に出力する。ＤＣ増幅回路１１８の利得ｋは固定である。ＤＣ増幅回路１１８の出力電圧によりＲＦ ＡＧＣ増幅回路１０４の利得を制御する。
【０００８】
このように、図１３のディジタル放送受信機１１６では、ＡＧＣ制御信号発生回路１１５がＩＦ ＡＧＣ増幅回路１１１の利得を制御し、ＡＧＣ検波回路１１７がＲＦ ＡＧＣ増幅回路１０４の利得を制御する。
【０００９】
次に、ＡＧＣ制御動作について説明する。例えば図１２の地上波ディジタル放送受信機１０１において、レベル検波回路１１４の特性は、Ａ／Ｄコンバータ１１２の出力信号レベル、即ちレベル検波回路１１４の入力信号レベルが大きいと小さい直流電圧を発生し、逆にレベル検波回路１１４の入力信号レベルが小さいと大きい直流電圧が発生するようにしておく。なお、Ａ／Ｄコンバータ１１２の入力信号レベルはアナログ振幅レベルであるが、Ａ／Ｄコンバータ１１２の出力信号レベルはディジタル値である。
【００１０】
また、ＲＦ ＡＧＣ増幅回路１０４の特性及びＩＦ ＡＧＣ増幅回路１１１の特性は、それぞれの回路に入力されるＡＧＣ制御電圧が大きいと減衰量が小さく、逆に上記ＡＧＣ制御電圧が小さいと減衰量が大きくなるようにする。
【００１１】
ここで地上波ディジタル放送受信機１０１へ入力されるＲＦ信号のレベルが大きい場合には、レベル検波回路１１４の入力信号レベルも大きくなるが、レベル検波回路１１４の出力電圧は小さくなるため、ＩＦ ＡＧＣ増幅回路１１１は減衰量が大きくなり、Ａ／Ｄコンバータ１１２の入力信号レベルを下げるように、ＩＦ ＡＧＣ増幅回路１１１の利得が制御される。
【００１２】
また、地上波ディジタル放送受信機１０１へ入力されるＲＦ信号のレベルが小さい場合には、レベル検波回路１１４の入力信号レベルも小さくなるが、レベル検波回路１１４の出力電圧は大きくなるため、ＩＦ ＡＧＣ増幅回路１１１は減衰量が小さくなり、Ａ／Ｄコンバータ１１２の入力信号レベルを上げるように、ＩＦ ＡＧＣ増幅回路１１１の利得が制御される。
【００１３】
このように、受信機の入力信号レベルが変動しても、常に一定レベルであるＡ／Ｄコンバータ１１２の入力信号レベルが得られる。
【００１４】
次に各フィルタの働きについて説明する。受信機入力端１０２には、複数のＲＦ信号が入力される。受信時には受信周波数に応じた周波数の局部発振信号を発生することにより、希望信号の周波数、即ち受信したい信号の周波数をＩＦ周波数に周波数変換する。この時、バンドパスフィルタ１０３及び１０５の中心周波数は、受信周波数にほぼ一致するように中心周波数が可変して希望信号を通過させ、希望信号から離れた信号は大まかにフィルタリングされる。
【００１５】
バンドパスフィルタ１０８の中心周波数はＩＦ周波数に設定されており、ＩＦ周波数から数十ＭＨｚ以上離れた周波数を大まかにフィルタリングされるが隣接信号や隣々接信号における周波数はあまり落とせない。バンドパスフィルタ１１０はＩＦ周波数のみを通過させ、隣接信号や隣々接信号が除去できるような急峻な特性を持ち、一般的にＳＡＷフィルタが用いられる。
【００１６】
図１２の地上波ディジタル放送受信機１０１及び図１３のディジタル放送受信機１１６と同様に、ＡＧＣにより利得を制御するものとして、特許文献１では、中間周波数帯域フィルタの前後からＡＧＣ制御信号を取り出して２つの可変利得増幅器に加えるようにして、歪みの軽減及びＮＦの劣化を防止したＡＧＣ回路が開示されている。また、特許文献２では、あらかじめ設定されているＡＧＣのターンオーバー点におけるＲＦ−ＡＧＣ設定値からＲＦ−ＡＧＣのサーチを行うことなく適切なＲＦ−ＡＧＣを調整することのできるＡＧＣシステムが開示されている。
【特許文献１】特開２０００−２４４３５３号公報（２０００年９月８日公開）
【特許文献２】特開２００６−１０９３３５号公報（２００６年４月２０日公開）
【発明の開示】
【発明が解決しようとする課題】
【００１７】
図１２の地上波ディジタル放送受信機１０１では、レベル検波回路１１４はＳＡＷフィルタで構成される急峻なバンドパスフィルタ１１０の後段の信号レベルを検出し、ＡＧＣ制御信号を作っていた。この場合、希望する受信信号レベルの大きさに応じてＲＦ ＡＧＣ増幅回路１０４の利得を制御できるが、隣接信号、隣々接信号及びその他信号はＳＡＷフィルタに除去されるため、その他の信号のレベルに無関係にＲＦ ＡＧＣ増幅回路１０４の利得を制御することになり、受信機に希望信号よりもレベルが大きい他チャンネル信号が入力される場合には、該レベルが大きい他チャンネル信号がＲＦ ＡＧＣ増幅回路１０４やミキサ回路１０６に入力され、そこで振幅歪を発生して受信性能を劣化させるという問題があった。
【００１８】
また、上記問題を改善するため、図１３のディジタル放送受信機１１６に示すように、ＡＧＣ検波回路１１７をバンドパスフィルタ１０８の後に配置し、隣接信号や隣々接信号があまり除去されていない信号にてＡＧＣ制御信号を作るような構成をとる場合もある。
【００１９】
この場合、隣接信号や隣々接信号のレベルにも対応してＲＦ ＡＧＣ増幅回路１０４の利得を制御することになり、隣接信号や隣々接信号レベルが大きい場合には、ＲＦ ＡＧＣ増幅回路１０４の利得を下げて振幅歪を改善することができる。しかしながら、この場合はＩＦ周波数から数十ＭＨｚ以上離れた周波数はフィルタにて大きく除去されているため、ＩＦ周波数から数十ＭＨｚ以上離れた帯域の信号が大きい場合にはその信号が妨害信号となり、受信性能を劣化させるという問題は改善されない。
【００２０】
本発明は、上記従来の問題点に鑑みなされたものであって、その目的は、中間周波数の近傍の信号が存在する場合でも、中心周波数から数十ＭＨｚ離れた信号が存在する場合でも、それらの信号の信号レベルを考慮した利得制御が可能となり、受信チャンネル以外のその他チャンネルによる受信性能の劣化を防ぐ、高性能な受信機を提供することにある。
【課題を解決するための手段】
【００２１】
本発明の受信機は、上記課題を解決するために、多チャンネルのＲＦ信号を入力するＲＦ信号入力端子と、前記ＲＦ信号入力端子の後段に配置された、第１の利得制御信号によって利得を固定あるいは制御するＲＦ利得制御手段と、受信周波数に応じて局部発振信号を生成する局部発振手段と、前記ＲＦ信号と前記局部発振信号とを混合することにより、中間周波数に周波数変換した中間周波数信号を生成する周波数変換手段と、前記周波数変換手段の後段に配置され、前記中間周波数信号をより広帯域に選択して通過させる第１の中間周波数帯域通過フィルタと、前記第１の中間周波数帯域通過フィルタの後段に配置され、前記中間周波数信号をより狭帯域に選択して通過させる第２の中間周波数帯域通過フィルタとを備える受信機であって、前記中間周波数信号に応じた第２の利得制御信号を生成する第１の自動利得制御検波手段と、前記第１の中間周波数帯域通過フィルタの出力信号に応じた第３の利得制御信号を生成する第２の自動利得制御検波手段と、前記第２の利得制御信号と前記第３の利得制御信号とに基づいて前記第１の利得制御信号を生成する利得制御信号生成手段とを備えることを特徴とする。
【００２２】
上記発明によれば、前記第１の自動利得制御検波手段は、前記中間周波数から数十ＭＨｚ以上離れた帯域の信号を検波して前記第２の利得制御信号を生成し、前記第２の自動利得制御検波手段は、前記中間周波数の近傍信号を検波して前記第３の利得制御信号を生成し、前記利得制御信号生成手段は、前記第２の利得制御信号及び前記第３の利得制御信号を用いて前記第１の利得制御信号を生成する。
【００２３】
このような構成によると、希望信号から１チャンネル分離れた隣接信号または希望信号から２チャンネル分離れた隣々接信号のような中間周波数の近傍の信号の信号レベルと、前記中間周波数から数十ＭＨｚ以上離れた帯域の信号の信号レベルとの大きさに応じて、前記利得制御信号生成手段が前記第１の利得制御信号を生成するので、前記ＲＦ利得制御手段の利得を制御することが可能となる。よって、大きな隣接信号や大きな隣々接信号が存在しても、また、前記中間周波数から数十ＭＨｚ以上離れた帯域に大きな信号が存在しても、それらの信号レベルに応じて前記ＲＦ利得制御手段の利得を下げることが可能となり、希望信号以外の信号による振幅歪を改善することが可能となる。
【００２４】
また、隣接信号や隣々接信号のような中間周波数の近傍の信号が存在する場合でも、中心周波数から数十ＭＨｚ離れた信号が存在する場合でも、それらの信号の信号レベルを考慮した利得制御が可能となり、受信チャンネル以外のその他チャンネルによる受信性能の劣化を防ぐ、高性能な受信機が実現できる。
【００２５】
前記受信機では、前記第１の自動利得制御検波手段の前段に、中間周波数帯域除去フィルタとを備えてもよい。
【００２６】
これにより、中心周波数から数十ＭＨｚ離れた信号をより重視する利得制御が可能である。また、前記周波数変換手段の出力は広範囲に渡ってインピーダンス整合が可能となり、前記中間周波数帯域除去フィルタの帯域阻止域での反射が軽減され、前記周波数変換手段における歪が軽減される。
【００２７】
前記受信機では、前記利得制御信号生成手段は、前記第２の利得制御信号と前記第３の利得制御信号との内の１つを選択し、前記第１の利得制御信号として出力してもよい。
【００２８】
これにより、前記第１の中間周波数帯域通過フィルタでの中心周波数から数十ＭＨｚ離れた信号を重視する制御と、前記第２の中間周波数帯域通過フィルタでの隣接信号や隣々接信号を重視する制御を選択的に切り替え、より受信条件に適した制御が可能となる。
【００２９】
前記受信機では、前記利得制御信号生成手段は、前記第２の利得制御信号と前記第３の利得制御信号とを合成し、前記第１の利得制御信号として出力してもよい。
【００３０】
また、前記受信機では、前記合成は平均化であり、前記利得制御信号生成手段は、前記第２の利得制御信号と前記第３の利得制御信号とを平均化し、前記第１の利得制御信号として出力してもよい。
【００３１】
これらの構成により、前記ＲＦ信号入力端子に入力された信号のレベルが変動しても、前記中間周波数信号の信号レベルが一定となるように制御を行うことが可能となる。
【００３２】
前記受信機では、前記第２の中間周波数帯域通過フィルタの後段に、信号対雑音比を検出する信号対雑音比検出手段を備えてもよい。
【００３３】
また、前記受信機では、前記信号対雑音比検出手段は、前記利得制御信号生成手段が前記第２の利得制御信号を前記第１の利得制御信号として出力する場合の第１の信号対雑音比と、前記利得制御信号生成手段が前記第３の利得制御信号を前記第１の利得制御信号として出力する場合の第２の信号対雑音比とを検出し、前記第１の信号対雑音比が前記第２の信号対雑音比より大きい場合は、前記利得制御信号生成手段が前記第２の利得制御信号を前記第１の利得制御信号として出力し、前記第２の信号対雑音比が前記第１の信号対雑音比より大きい場合は、前記利得制御信号生成手段が前記第３の利得制御信号を前記第１の利得制御信号として出力してもよい。
【００３４】
さらに、前記受信機では、記憶手段及び切り替え判定手段をさらに備え、前記切り替え判定手段は、前記第１の信号対雑音比と前記第２の信号対雑音比との大小の判定を、受信機のチャンネル設定時に実施し、前記記憶手段が判定結果を記憶し、該当チャンネル受信時には前記記憶手段に記憶された前記判定結果に基づいて、前記利得制御信号生成手段が前記第１の利得制御信号を出力してもよい。
【００３５】
さらに、前記受信機では、前記切り替え判定手段は、前記大小の判定を、受信機のチャンネル設定時、または予め設定した視聴時以外の時間に実施してもよい。
【００３６】
これらの構成により、前記第１の中間周波数帯域通過フィルタでの中心周波数から数十ＭＨｚ離れた信号を重視する制御と、前記第２の中間周波数帯域通過フィルタでの隣接信号や隣々接信号を重視する制御を選択的に切り替え、より受信条件に適した制御が可能となる。
【発明の効果】
【００３７】
本発明の受信機は、以上のように、周波数変換手段の後段と第１の中間周波数帯域通過フィルタの前段との間に、中間周波数信号に応じた第２の利得制御信号を生成する第１の自動利得制御検波手段と、前記第１の中間周波数帯域通過フィルタの後段と第２の中間周波数帯域通過フィルタの前段との間に設けられ、前記第１の中間周波数帯域通過フィルタの出力信号に応じた第３の利得制御信号を生成する第２の自動利得制御検波手段と、前記第２の利得制御信号と前記第３の利得制御信号とに基づいて第１の利得制御信号を生成する利得制御信号生成手段とを備えるものである。
【００３８】
それゆえ、中間周波数の近傍の信号が存在する場合でも、中心周波数から数十ＭＨｚ離れた信号が存在する場合でも、それらの信号の信号レベルを考慮した利得制御が可能となり、受信チャンネル以外のその他チャンネルによる受信性能の劣化を防ぐ、高性能な受信機を提供するという効果を奏する。
【発明を実施するための最良の形態】
【００３９】
本発明の一実施形態について実施例１〜実施例３、及び図１〜図１１に基づいて説明すれば、以下の通りである。
【００４０】
〔実施例１〕
図１は、本実施例１に係るディジタル放送受信機１のブロック図である。ディジタル放送受信機１は、受信機入力端２、バンドパスフィルタ３、ＲＦ（radio frequency：高周波） ＡＧＣ（automatic gain control：自動利得制御）増幅回路４、バンドパスフィルタ５、ミキサ回路６、局部発振回路７、バンドパスフィルタ８、ＩＦ（intermediate frequency：中間周波数）増幅回路９、バンドパスフィルタ１０、ＩＦ ＡＧＣ増幅回路１１、Ａ／Ｄコンバータ１２、復調回路１３、レベル検波回路１４、ＡＧＣ制御信号発生回路１５、ＡＧＣ検波回路１６、ＡＧＣ検波回路１７、ＤＣ（direct current：直流）増幅回路１８、ＤＣ増幅回路１９及び平均化回路２０を備えている。
【００４１】
ディジタル変調された複数のＲＦ信号は、受信機入力端２より入力され、バンドパスフィルタ３、ＲＦ ＡＧＣ増幅回路４及びバンドパスフィルタ５を介してミキサ回路６に入力される。
【００４２】
ミキサ回路６に入力された信号は、受信信号の周波数に応じた、局部発振回路７から出力される局部発振信号とミキシングされ、ＩＦ信号に周波数変換される。バンドパスフィルタ３及びバンドパスフィルタ５の中心周波数は、受信周波数、即ち受信したい信号の周波数にほぼ一致するように中心周波数が変動する。これにより希望信号、即ち受信したい信号を通過させ、希望信号から離れた信号は大まかにフィルタリングされる。
【００４３】
ミキサ回路６にてＩＦ周波数に周波数変換された受信信号は、バンドパスフィルタ８にてＩＦ周波数から数十ＭＨｚ以上離れた周波数を大まかにフィルタリングされ、ＩＦ増幅回路９を介してバンドパスフィルタ１０に入力される。
【００４４】
バンドパスフィルタ１０は、１つのチャンネルの帯域信号のみを通過させるような急峻な特性を持ち、一般的にＳＡＷ（Surface Acoustic Wave：表面弾性波）フィルタが用いられる。バンドパスフィルタ１０にて希望信号以外の信号を除去された信号は、ＩＦ ＡＧＣ増幅回路１１に入力され、Ａ/Ｄコンバータ１２にてディジタル信号に変換された後、復調回路１３にてディジタル復調され、元のディジタルデータに復調される。
【００４５】
また、ミキサ回路６にてＩＦ周波数に周波数変換された受信信号は、ＡＧＣ検波回路１６に入力される。ＡＧＣ検波回路１６では、入力信号レベルの大きさに応じた、直流電圧である出力信号を生成し、ＤＣ増幅回路１８に出力する。ＤＣ増幅回路１８の利得ｋ１は固定である。
【００４６】
また、ミキサ回路６にてＩＦ周波数に周波数変換された受信信号は、バンドパスフィルタ８にてＩＦ周波数から数十ＭＨｚ以上離れた周波数を大まかにフィルタリングされ、ＩＦ増幅回路９を介した後、ＡＧＣ検波回路１７に入力される。ＡＧＣ検波回路１７では、入力信号レベルの大きさに応じた、直流電圧である出力信号を生成し、ＤＣ増幅回路１９に出力する。ＤＣ増幅回路１９の利得ｋ２は固定である。
【００４７】
ＡＧＣ検波回路１６及びＡＧＣ検波回路１７から出力される信号は、一般的に信号レベルが小さいため、ＲＦ ＡＧＣ増幅回路４を直接制御できない。従って、ＤＣ増幅回路１８及びＤＣ増幅回路１９を設けている。
【００４８】
ＡＧＣ検波回路１６にて入力信号レベルに応じて生成された、直流電圧である出力信号は、ＤＣ増幅回路１８にて増幅され、平均化回路２０に出力される。また、ＡＧＣ検波回路１７にて入力信号レベルに応じて生成された、直流電圧である出力信号は、ＤＣ増幅回路１９にて増幅され、平均化回路２０に出力される。
【００４９】
平均化回路２０では、入力された２つの直流電圧信号を、以下に示す（１）式に従い平均化する。平均化回路２０にて平均化された信号は、ＲＦ ＡＧＣ増幅回路４の利得制御信号として、ＲＦ ＡＧＣ増幅回路４に帰還され、受信機入力端２に入力された信号レベルが変動しても、ＩＦ信号の信号レベルが一定となるように、ＲＦ  ＡＧＣループが動作する。
【００５０】
なお、ＤＣ増幅回路１８の利得ｋ１及びＤＣ増幅回路１９の利得ｋ２は、各ＡＧＣ検波回路から出力される信号のレベルとＲＦ ＡＧＣ増幅回路４の利得制御信号のレベルとに基づいて定められる。
平均化された信号＝（ＤＣ増幅回路１８の出力＋ＤＣ増幅回路１９の出力）／２…（１）
次に各ブロックでの周波数応答特性を説明する。ＡＧＣ検波回路１６の入力端では、バンドパスフィルタ３及びバンドパスフィルタ５にて希望信号周波数から離れた信号は大まかにフィルタリングされている。この時の周波数応答特性の例を示すグラフを図２に示す。尚、以下のグラフにおいては、希望信号の中心周波数にて正規化した周波数をｘ軸に、また希望信号の中心周波数における振幅レベルを基準レベルとしてｄＢ表示したレベルをｙ軸にとる。
【００５１】
図２に示すように、中心周波数より８０ＭＨｚ以上離れた周波数の信号においては、４０ｄＢ以上減衰されているが、中心周波数に対して２０ＭＨｚから５０ＭＨｚ離れた周波数の信号では、数ｄＢから２０ｄＢ程度減衰されている。
【００５２】
また、ＡＧＣ検波回路１７の入力端では、バンドパスフィルタ３及びバンドパスフィルタ５に加えて、バンドパスフィルタ８にてフィルタリングされる。この時の周波数応答特性の例を示すグラフを図３に示す。
【００５３】
図３に示すように、中心周波数より３０ＭＨｚ以上離れた周波数の信号においては、３０ｄＢ以上減衰されているが、中心周波数に対して±１５ＭＨｚ以内の周波数の信号では、７ｄＢ程度減衰されている。
【００５４】
また、バンドパスフィルタ１０の出力における周波数応答特性、即ちＩＦ ＡＧＣ増幅回路１１の入力における周波数応答特性の例を示すグラフを図４に示す。尚、本実施の形態では、１チャンネルの帯域幅は６ＭＨｚとしている。また、希望信号から±６ＭＨｚ離れた信号を隣接信号、希望信号から±１２ＭＨｚ離れた信号を隣々接信号とする。
【００５５】
図４に示すように、バンドパスフィルタ１０は、希望する信号のみを通過する。実際には、例えば中心周波数±２．６５ＭＨｚ、即ち帯域幅５．３ＭＨｚの範囲内においては、減衰量がほぼ０ｄＢで、中心周波数±３ＭＨｚにおいて減衰量が−１０ｄＢというように、帯域エッジになるにつれて減衰量が大きくなっていることが一般的である。
【００５６】
次に、ディジタル変調された複数のＲＦ信号が受信機に入力された場合の例を説明する。たとえば図５のように希望信号（正規化された周波数において０Ｈｚの信号）に対して、−９０ＭＨｚ、−３６ＭＨｚ、−１２ＭＨｚ、＋６ＭＨｚ、＋４８ＭＨｚ及び＋６０ＭＨｚの計６信号が希望信号より２０ｄＢ大きなレベルで入力されるとする。
【００５７】
ＡＧＣ検波回路１７に入力される信号は、図６に示すように−１２ＭＨｚ、０ＭＨｚ及び＋６ＭＨｚの信号はほとんど減衰していないがそれ以外の信号は大きく減衰している。従ってＡＧＣ検波回路１７は、希望信号、隣接信号及び隣々接信号を検波し、利得制御に用いる、直流電圧である出力信号を発生している。また、−３６ＭＨｚ及び＋４８ＭＨｚの信号は、ＡＧＣ検波回路１７により検波されず、利得制御に用いる、直流電圧である出力信号の生成に関与しない。
【００５８】
ＡＧＣ検波回路１６に入力される信号は、図７に示すように−３６ＭＨｚ及び＋４８ＭＨｚの信号も比較的大きなレベルとして存在しており、これらの信号を含めて利得制御に使用される。
【００５９】
従って、ＡＧＣ検波回路１７では隣接信号や隣々接信号の大きさを重視した利得制御を受け持ち、ＡＧＣ検波回路１６では中心周波数から数十ＭＨｚ離れた信号をも含めた利得制御を受け持つことができる。そしてＡＧＣ検波回路１６から出力され、ＤＣ増幅回路１８により増幅された信号、及びＡＧＣ検波回路１７から出力され、ＤＣ増幅回路１９により増幅された信号を平均化回路２０で平均化することにより、隣接信号や隣々接信号のような信号が存在する場合でも、中心周波数から数十ＭＨｚ離れた信号が存在する場合でも、これらの信号のレベルを考慮した利得制御が可能となる。
【００６０】
尚、ＤＣ増幅回路１８の利得ｋ１及びＤＣ増幅回路１９の利得ｋ２の設定を変えることによって、隣接信号や隣々接信号を重視したり、逆に中心周波数から数十ＭＨｚ離れた信号を重視したりすることが可能であり、柔軟な設計が可能となる。
【００６１】
〔実施例２〕
図８は、本実施例２に係るディジタル放送受信機２１のブロック図である。ディジタル放送受信機２１は、図１に示すディジタル放送受信機１においてＡＧＣ検波回路１６の入力側に、希望信号を中心に除去する帯域除去フィルタ２２を追加したものである。
【００６２】
ＡＧＣ検波回路１６の入力端までの周波数応答特性は、バンドパスフィルタ３、バンドパスフィルタ５及び帯域除去フィルタ２２により図９のような特性となる。また、実施例１の図５に示す複数のＲＦ信号がディジタル放送受信機２１に入力される場合、各信号の信号レベルは図１０に示すようなレベルとなる。
【００６３】
図１０と、ディジタル放送受信機１のＡＧＣ検波回路１６に入力される信号を示した図７と比較すると、ディジタル放送受信機２１では中心周波数から数十ＭＨｚ離れた信号をより重視する利得制御が可能である。さらにミキサ回路６から出力される信号は、バンドパスフィルタ８と帯域除去フィルタ２２に入力されるため、ミキサ回路６の出力は広範囲に渡ってインピーダンス整合が可能となり、帯域除去フィルタ２２の帯域阻止域での反射が軽減され、ミキサ回路６における歪が軽減されるという利点もある。
【００６４】
なお、ＡＧＣ検波回路１６の入力端までの周波数応答特性が図９に示されるような特性となるため、図１０に示される信号においては、中心周波数における振幅を０ｄＢとしていない。
【００６５】
〔実施例３〕
図１１は、本実施例３に係るディジタル放送受信機２３のブロック図である。ディジタル放送受信機２３は、図１に示すディジタル放送受信機１において平均化回路２０を切り替えスイッチ２４に置き換え、ＡＧＣ検波回路１６での中心周波数から数十ＭＨｚ離れた信号を重視する制御と、ＡＧＣ検波回路１７での隣接信号や隣々接信号を重視する制御を選択的に切り替えており、より受信条件に適した制御が可能となる。
【００６６】
また、復調回路１３には信号対雑音比（Ｓ/Ｎ）を検出するＳ/Ｎ検出回路２５を設けている。Ｓ/Ｎ検出回路２５は、ＤＣ増幅回路１８とＲＦ ＡＧＣ増幅回路４とを切り替えスイッチ２４により接続した時のＳ/Ｎ（第１のＳ/Ｎ）と、ＤＣ増幅回路１９とＲＦ ＡＧＣ増幅回路４とを切り替えスイッチ２４により接続した時のＳ/Ｎ（第２のＳ/Ｎ）とを検出し、これらの２つのＳ/Ｎを切り替え判定回路２８に一時的に記憶する。そして切り替え判定回路２８により良い方、即ちより大きい方のＳ/Ｎを判定し、該より良い方のＳ/Ｎをメモリ２６に記憶し、チャンネル選局時には、マイクロコンピュータ２７にてメモリ２６より最適な切り替え設定を読み出し、切り替え制御回路２９が切り替えスイッチ２４の設定を行う。
【００６７】
切り替え判定回路２８の判定において、上記第１のＳ/Ｎが上記第２のＳ/Ｎより大きい場合は、上記第１のＳ/Ｎがメモリ２６に記憶される。チャンネル選局時には、マイクロコンピュータ２７にてメモリ２６より最適な切り替え設定を読み出し、切り替え制御回路２９は、切り替えスイッチ２４を切り替え、ＤＣ増幅回路１８とＲＦ ＡＧＣ増幅回路４とを接続する。これにより、ディジタル放送受信機２３は、中心周波数から数十ＭＨｚ離れた信号を重視する制御を行う。
【００６８】
切り替え判定回路２８の判定において、上記第２のＳ/Ｎが上記第１のＳ/Ｎより大きい場合は、上記第２のＳ/Ｎがメモリ２６に記憶される。チャンネル選局時には、マイクロコンピュータ２７にてメモリ２６より最適な切り替え設定を読み出し、切り替え制御回路２９は、切り替えスイッチ２４を切り替え、ＤＣ増幅回路１９とＲＦ ＡＧＣ増幅回路４とを接続する。これにより、ディジタル放送受信機２３は、隣接信号や隣々接信号を重視する制御を行う。
【００６９】
この場合、各チャンネルの最適設定値の測定は時間がかかるため、視聴時に行うのは不適当であり、初期チャンネル設定時や、あるいは、予め設定した視聴時以外の時間に実施する。
【００７０】
〔実施形態の総括〕
本発明の実施形態に係る受信機１、２１、２３は、多チャンネルのＲＦ信号を入力する受信機入力端２と、受信機入力端２の後段に配置された、第１の利得制御信号によって利得を固定あるいは制御するＲＦ ＡＧＣ増幅回路４と、受信周波数に応じて局部発振信号を生成する局部発振回路７と、前記ＲＦ信号と前記局部発振信号とを混合することにより、中間周波数に周波数変換した中間周波数信号を生成するミキサ回路６と、ミキサ回路６の後段に配置され、前記中間周波数信号をより広帯域に選択して通過させるバンドパスフィルタ８と、バンドパスフィルタ８の後段に配置され、前記中間周波数信号をより狭帯域に選択して通過させるバンドパスフィルタ１０とを備える受信機であって、前記中間周波数信号に応じた第２の利得制御信号を生成するＡＧＣ検波回路１６と、バンドパスフィルタ８の出力信号に応じた第３の利得制御信号を生成するＡＧＣ検波回路１７と、前記第２の利得制御信号と前記第３の利得制御信号とに基づいて前記第１の利得制御信号を生成する利得制御信号生成手段とを備える。
【００７１】
上記構成によれば、ＡＧＣ検波回路１６は、前記中間周波数から数十ＭＨｚ以上離れた帯域の信号を検波して前記第２の利得制御信号を生成し、ＡＧＣ検波回路１７は、前記中間周波数の近傍信号を検波して前記第３の利得制御信号を生成し、前記利得制御信号生成手段は、前記第２の利得制御信号及び前記第３の利得制御信号を用いて前記第１の利得制御信号を生成する。
【００７２】
このような構成によると、希望信号から１チャンネル分離れた隣接信号または希望信号から２チャンネル分離れた隣々接信号のような中間周波数の近傍の信号の信号レベルと、前記中間周波数から数十ＭＨｚ以上離れた帯域の信号の信号レベルとの大きさに応じて、前記利得制御信号生成手段が前記第１の利得制御信号を生成するので、ＲＦ ＡＧＣ増幅回路４の利得を制御することが可能となる。よって、大きな隣接信号や大きな隣々接信号が存在しても、また、前記中間周波数から数十ＭＨｚ以上離れた帯域に大きな信号が存在しても、それらの信号レベルに応じてＲＦ ＡＧＣ増幅回路４の利得を下げることが可能となり、希望信号以外の信号による振幅歪を改善することが可能となる。
【００７３】
また、隣接信号や隣々接信号のような中間周波数の近傍の信号が存在する場合でも、中心周波数から数十ＭＨｚ離れた信号が存在する場合でも、それらの信号の信号レベルを考慮した利得制御が可能となり、受信チャンネル以外のその他チャンネルによる受信性能の劣化を防ぐ、高性能な受信機が実現できる。
【００７４】
前記受信機では、ＡＧＣ検波回路１６の前段に、帯域除去フィルタ２２とを備えてもよい。
【００７５】
これにより、中心周波数から数十ＭＨｚ離れた信号をより重視する利得制御が可能である。また、ミキサ回路６の出力は広範囲に渡ってインピーダンス整合が可能となり、帯域除去フィルタ２２の帯域阻止域での反射が軽減され、ミキサ回路６における歪が軽減される。
【００７６】
受信機２３では、切り替えスイッチ２４及び切り替え制御回路２９は、前記第２の利得制御信号と前記第３の利得制御信号との内の１つを選択し、前記第１の利得制御信号として出力してもよい。
【００７７】
これにより、バンドパスフィルタ８での中心周波数から数十ＭＨｚ離れた信号を重視する制御と、バンドパスフィルタ１０での隣接信号や隣々接信号を重視する制御を選択的に切り替え、より受信条件に適した制御が可能となる。
【００７８】
受信機１、２１では、平均化回路２０は、前記第２の利得制御信号と前記第３の利得制御信号とを合成し、前記第１の利得制御信号として出力してもよい。
【００７９】
また、受信機２１では、前記合成は平均化であり、平均化回路２０は、前記第２の利得制御信号と前記第３の利得制御信号とを平均化し、前記第１の利得制御信号として出力してもよい。
【００８０】
これらの構成により、受信機入力端２に入力された信号のレベルが変動しても、前記中間周波数信号の信号レベルが一定となるように制御を行うことが可能となる。
【００８１】
受信機２３では、バンドパスフィルタ１０の後段に、信号対雑音比を検出するＳ／Ｎ検出回路２５を備えてもよい。
【００８２】
また、受信機２３では、Ｓ／Ｎ検出回路２５は、切り替えスイッチ２４及び切り替え制御回路２９が前記第２の利得制御信号を前記第１の利得制御信号として出力する場合の第１の信号対雑音比と、切り替えスイッチ２４及び切り替え制御回路２９が前記第３の利得制御信号を前記第１の利得制御信号として出力する場合の第２の信号対雑音比とを検出し、前記第１の信号対雑音比が前記第２の信号対雑音比より大きい場合は、切り替えスイッチ２４及び切り替え制御回路２９が前記第２の利得制御信号を前記第１の利得制御信号として出力し、前記第２の信号対雑音比が前記第１の信号対雑音比より大きい場合は、切り替えスイッチ２４及び切り替え制御回路２９が前記第３の利得制御信号を前記第１の利得制御信号として出力してもよい。
【００８３】
さらに、受信機２３では、メモリ２６及び切り替え判定回路２８をさらに備え、切り替え判定回路２８は、前記第１の信号対雑音比と前記第２の信号対雑音比との大小の判定を、受信機２３のチャンネル設定時に実施し、メモリ２６が判定結果を記憶し、該当チャンネル受信時にはメモリ２６に記憶された前記判定結果に基づいて、切り替えスイッチ２４及び切り替え制御回路２９が前記第１の利得制御信号を出力してもよい。
【００８４】
さらに、受信機２３では、切り替え判定回路２８は、前記大小の判定を、受信機のチャンネル設定時、または予め設定した視聴時以外の時間に実施してもよい。
【００８５】
これらの構成により、バンドパスフィルタ８での中心周波数から数十ＭＨｚ離れた信号を重視する制御と、バンドパスフィルタ１０での隣接信号や隣々接信号を重視する制御を選択的に切り替え、より受信条件に適した制御が可能となる。
【産業上の利用可能性】
【００８６】
本発明の受信機は、中間周波数の近傍の信号が存在する場合でも、中心周波数から数十ＭＨｚ離れた信号が存在する場合でも、それらの信号の信号レベルを考慮した利得制御が可能となり、受信チャンネル以外のその他チャンネルによる受信性能の劣化を防ぐので、地上波ディジタル放送受信機に用いると好適である。
【図面の簡単な説明】
【００８７】
【図１】本発明の実施例に係るディジタル放送受信機のブロック図である。
【図２】本発明の実施例に係るディジタル放送受信機の、ＡＧＣ検波回路の入力端までの周波数応答特性を示すグラフである。
【図３】本発明の実施例に係るディジタル放送受信機の、他のＡＧＣ検波回路の入力端までの周波数応答特性を示すグラフである。
【図４】本発明の実施例に係るディジタル放送受信機の、ＩＦ ＡＧＣ増幅回路の入力における周波数応答特性を示すグラフである。
【図５】ディジタル変調された複数のＲＦ信号の各信号レベルを表した図である。
【図６】図５に示す複数のＲＦ信号が入力され時の、本発明の実施例に係るディジタル放送受信機の、他のＡＧＣ検波回路の入力端における各信号レベルを表した図である。
【図７】図５に示す複数のＲＦ信号が入力され時の、本発明の実施例に係るディジタル放送受信機の、ＡＧＣ検波回路の入力端における各信号レベルを表した図である。
【図８】本発明の他の実施例に係るディジタル放送受信機のブロック図である。
【図９】本発明の他の実施例に係るディジタル放送受信機の、ＡＧＣ検波回路の入力端までの周波数応答特性を示すグラフである。
【図１０】図５に示す複数のＲＦ信号が入力され時の、本発明の他の実施例に係るディジタル放送受信機の、ＡＧＣ検波回路の入力端における各信号レベルを表した図である。
【図１１】本発明のさらに別の実施例に係るディジタル放送受信機のブロック図である。
【図１２】従来の地上波ディジタル放送受信機のブロック図である。
【図１３】従来の他の地上波ディジタル放送受信機のブロック図である。
【符号の説明】
【００８８】
１、２１、２３  ディジタル放送受信機
２  受信機入力端（ＲＦ信号入力端子）
３、５  バンドパスフィルタ
４  ＲＦ ＡＧＣ増幅回路（ＲＦ利得制御手段）
６  ミキサ回路（周波数変換手段）
７  局部発振回路（局部発振手段）
８  バンドパスフィルタ（第１の中間周波数帯域通過フィルタ）
９  ＩＦ増幅回路
１０  バンドパスフィルタ（第２の中間周波数帯域通過フィルタ）
１１  ＩＦ ＡＧＣ増幅回路
１２  Ａ／Ｄコンバータ
１３  復調回路
１４  レベル検波回路
１５  ＡＧＣ制御信号発生回路
１６  ＡＧＣ検波回路（第１の自動利得制御検波手段）
１７  ＡＧＣ検波回路（第２の自動利得制御検波手段）
１８、１９  ＤＣ増幅回路
２０  平均化回路（利得制御信号生成手段）
２２  帯域除去フィルタ（中間周波数帯域除去フィルタ）
２４  切り替えスイッチ（利得制御信号生成手段）
２５  Ｓ／Ｎ検出回路（信号対雑音比検出手段）
２６  メモリ（記憶手段）
２７  マイクロコンピュータ
２８  切り替え判定回路（切り替え判定手段）
２９  切り替え制御回路（利得制御信号生成手段）
ｋ１、ｋ２  利得
【図１】
2009272689.tif 000003
【図２】
2009272689.tif 000004
【図３】
2009272689.tif 000005
【図４】
2009272689.tif 000006
【図５】
2009272689.tif 000007
【図６】
2009272689.tif 000008
【図７】
2009272689.tif 000009
【図８】
2009272689.tif 000010
【図９】
2009272689.tif 000011
【図１０】
2009272689.tif 000012
【図１１】
2009272689.tif 000013
【図１２】
2009272689.tif 000014
【図１３】
2009272689.tif 000015